(57)【要約】【課題】折り畳み型や、フリップ型、スライド型等の携帯電話機において、収納状態でキーロック操作を行うことができ、ポケット等に収容時にも取り出すことなくキーロック操作が可能な、使い勝手を向上させたキーロック機能付き携帯電話機を提案する。【解決手段】筐体閉状態でも押下操作可能な少なくとも１つの操作キーを、所定の押下順番で所定の押下回数だけ押下操作することによりキーロックを行えるようにする。更には前記所定の押下順番および所定の押下回数を、ユーザが予め任意に設定できるようにする。【選択図】図２
2004128780.tif 000002
【特許請求の範囲】
【請求項１】
筐体閉状態の収納状態時にも押下操作可能な少なくとも１つの操作キーを具備した折り畳み型、フリップ型、およびスライド型のキーロック機能付き携帯電話機において、
収納状態時に前記操作キーを、所定の押下順番で所定の押下回数だけ押下操作することによりキーロックを行えるようにしたことを特徴とするキーロック機能付き携帯電話機。
【請求項２】
前記所定の押下順番および所定の押下回数を、ユーザが予め任意に設定できることを特徴とする請求項１に記載のキーロック機能付き携帯電話機。
【請求項３】
請求項１または請求項２に記載のキーロック機能付き携帯電話機であって、前記操作キーの前記所定押下順番および所定押下回数の押下操作後、前記操作キーの押下操作無しに予め設定された一定時間経過した場合にキーロック状態に移行することを特徴とするキーロック機能付き携帯電話機。
【請求項４】
前記操作キーの前記所定押下順番および所定押下回数の押下操作後、前記操作キーの押下を検出した場合には、当該押下後に前記操作キーの押下操作無しに前記予め設定された一定時間経過した場合にキーロック状態に移行することを特徴とする請求項３に記載のキーロック機能付き携帯電話機。
【請求項５】
前記操作キーの前記所定押下順番および所定押下回数の押下操作後、筐体開状態になったことおよび再度筐体閉状態になったことを検出して、筐体閉状態になった後に前記操作キーの押下操作無しに前記予め設定された一定時間経過した場合にキーロック状態に移行することを特徴とする請求項４に記載のキーロック機能付き携帯電話機。
【請求項６】
折り畳み型、フリップ型、およびスライド型のキーロック機能付き携帯電話機であって、
筐体閉状態の収納状態時にも押下操作可能な少なくとも１つの操作キーと、
前記操作キーの押下を検出する操作検出部と、
前記操作キーが所定の押下順番で所定の押下回数だけ押下されたことを判定してキーロック処理を実行する制御部とを具備したことを特徴とするキーロック機能付き携帯電話機。
【請求項７】
ユーザが予め任意に設定する前記所定の押下順番および所定の押下回数を記憶する設定記憶部を具備したことを特徴とする請求項６に記載のキーロック機能付き携帯電話機。
【請求項８】
前記操作キーの前記所定押下順番および所定押下回数の押下操作により計時を開始するとともに、前記操作キーの押下を検出した場合あるいは筐体開状態になった後に再度筐体閉状態になったことを検出した場合には再度計時を開始するタイマを更に具備し、
前記制御部は、前記タイマが予め設定された一定時間を計時した場合にキーロック処理を実行することを特徴とする請求項７に記載のキーロック機能付き携帯電話機。
【発明の詳細な説明】
【０００１】
【発明の属する技術分野】
本発明は携帯電話機に関し、特に折り畳み型、フリップ型、およびスライド型等の筐体を閉状態として収納状態とすることが可能でキーロック機能を備えた携帯電話機のキーロック方法の改良に関する。
【０００２】
【従来の技術】
折り畳み型や、フリップ型、スライド型等の携帯電話機には、収納状態でも一部のキーが隠れないで外部に露出し操作可能な構造としたものがある（例えば、特許文献１参照。）。
【０００３】
【特許文献１】
特許公報第２８３４０７８号明細書（第１図）
【０００４】
また、特願２００２−２１０５２３号（「携帯電話機」）には、収納状態でも一部のキーが隠れないで外部に露出する構造としたスライド式構造の携帯電話機が記載されている。
【０００５】
図５に、上記特許文献１（特許公報第２８３４０７８号公報）に記載された携帯電話機の外観図を、図６に上記特願２００２−２１０５２３号に記載された携帯電話機中の一例の外観図を示す（各図の符号は、それぞれ元公報・元出願明細書のものに準じてあり、本明細書中の他図の符号とは対応関係にない）。
【０００６】
図５（Ａ）　は、特許文献１開示の携帯電話機のフリップ２を閉じた状態、図５（Ｂ）　はフリップ２を開けた状態を示す外観図である。図５の携帯電話機では、機能キーや数字キーで構成されるキー入力部７０のほか主機能キー６１〜６３を有しており、主機能キー６１〜６３はフリップ２が閉じた状態でも外部に露出しており入力操作が可能である。
【０００７】
また、図６（ａ）　は、特願２００２−２１０５２３号の一実施例の携帯電話機の、正面側ユニット１００　が裏面側ユニット２００　に対して長軸方向上方にスライドした展伸状態（使用状態）での携帯電話機４００　の正面図、図６（ｂ）　は正面側ユニット１００　と裏面側ユニット２００　を重ねた縮退状態（収納状態）での正面図である。この携帯電話機では、収納状態でも副操作部１０２　の各キーは外部に露出していて入力操作が可能である。
【０００８】
ところで、従来より、多くの携帯電話機には、他人による不正使用の防止のために、また、携帯電話機をバックやポケット等に収納している間に意図せずキーが他のものと接触して誤操作が行われてしまうのを防ぐために操作キーからの入力を無効にするキーロック機能（ダイヤルロック）が備わっている。キーロック状態からの解除は暗証番号の入力等による場合が多い。
【０００９】
キーロックは、例えば、特定キーを所定時間以上押下げたり複数キーの組み合わせ等により行う。このキーロックとする操作手順は、一般に設計時に独自に決められ固定されており、誤操作でキーロック設定とならないように階層的操作になっている等で必ずしもユーザにとって覚え易いとは言えないことが多い。また、一般には目視して確認しながら行う必要がある。従って、ポケットなどに入れた状態でキーロックを行おうと思っても、そのままキーロック操作をするのは困難でわざわざ取り出さなくてはならない。
【００１０】
特に、折り畳み型や、フリップ型、スライド型等の場合はキーロックのための操作キーが収納状態では操作できず、キーロック操作は、筐体開時に行うようになっており、煩雑さを伴う。当然ながらポケットなどに入れてあれば必ず取り出したうえ更に開状態にしなくてはキーロックが行えず使い勝手が悪い。
【００１１】
なお、予め設定しておくことにより時間経過に伴って自動的にキーロック状態に設定されるようにした携帯電話機も多く知られている（例えば、特許文献２参照。）。特許文献２には、キー操作終了後、次にキー部に対するキー操作が行われるまでの時間をタイマによってカウントし、キー操作が行われないまま設定された時間を越えるとキー操作制限状態となる携帯電話機が開示されている。なお、この制限状態は、誤操作をしにくくした特定のキーの押下により解除され、キー操作可能状態となる。
【００１２】
また、特許文献３にも、タイマを用いて入力キー操作が終了して所定経過時間を過ぎても次の入力キー操作がないとき、これを検出して自動的に特定動作に移行するようにした携帯端末装置が開示されている。なお、この場合の特定動作の設定および該特定操作に移行するまでの経過時間とはユーザが設定可能になっている。
【００１３】
このような、予め設定した無操作一定時間経過後に自動的にキーロックがかかるようにしたものは、携帯電話機をどこかに置き忘れた場合でも第三者に不正使用されてしまう可能性が減少する。
【００１４】
その他、折り畳み型や、フリップ型、スライド型等の携帯電話機において、収納状態になったことを検出して自動的にキーロック状態に移行するように設定可能なものも提案されている（例えば特許文献４参照。）。特許文献４には、フリップを閉じたり電話機を折り畳んだ状態で少なくとも１つ以上のキーが外部に露出する構造の携帯電話機において、タイマを用いることでフリップを閉じたり電話機を折り畳んだ後、設定した時間を経過したときにキーをロックして誤操作を防止あるいは着信を禁止するようにした携帯電話機が開示されている。なお、同公報には、携帯電話機において時間帯を設定して、その時間になったら自動的に着信を禁止することも併せて開示されている。
【００１５】
【特許文献２】
特開２０００−３２０９８号公報（第３−４頁、第１図）
【特許文献３】
特開２００１−３２０４７７号公報（第２−３頁、第１図）
【特許文献４】
特開２００１−２８５４４２号公報（第３頁、第３図）
【００１６】
ところで、折り畳み型や、フリップ型、スライド型等の場合はキーロックのための操作キーが収納状態では操作できず、キーロック操作は、筐体開時（非収納状態）に行うようになっており、煩雑さを伴う。当然ながらポケットなどに入れてあれば必ず取り出したうえ更に開状態にしなくてはキーロックが行えず使い勝手が悪い。
【００１７】
もし、折り畳み型や、フリップ型、スライド型等の携帯電話機において、筐体を折り畳む等の収納状態で、キーロック操作を行うことができたならば使い勝手がより向上し望ましい。また、一般に携帯電話機において、ポケット等に収容時に取り出すことなくキーロック操作ができれば使い勝手が向上し好ましい。
【００１８】
【発明が解決しようとする課題】
本発明は、上述したような携帯電話機におけるキーロック機能の実状に鑑みてなされたもので、折り畳み型や、フリップ型、スライド型等の携帯電話機において、収納状態で、キーロック操作を行うことができ、ポケット等に収容時にも取り出すことなくキーロック操作が可能な、使い勝手を向上させたキーロック機能付き携帯電話機を提供することを目的とする。
【００１９】
【課題を解決するための手段】
課題解決のため、請求項１の発明では、筐体閉状態の収納状態時にも押下操作可能な少なくとも１つの操作キーを具備した折り畳み型、フリップ型、およびスライド型のキーロック機能付き携帯電話機において、収納状態時に前記操作キーを、所定の押下順番で所定の押下回数だけ押下操作することによりキーロックを行えるようにする。請求項２の発明では、請求項１に記載のキーロック機能付き携帯電話機において、前記所定の押下順番および所定の押下回数を、ユーザが予め任意に設定できるようにする。
【００２０】
請求項３の発明では、請求項１または請求項２に記載のキーロック機能付き携帯電話機において、前記操作キーの前記所定押下順番および所定押下回数の押下操作後、前記操作キーの押下操作無しに予め設定された一定時間経過した場合にキーロック状態に移行するように構成する。
【００２１】
請求項４の発明は、請求項３に記載のキーロック機能付き携帯電話機において、前記操作キーの前記所定押下順番および所定押下回数の押下操作後、前記操作キーの押下を検出した場合には、当該押下後に前記操作キーの押下操作無しに前記予め設定された一定時間経過した場合にキーロック状態に移行することを特徴とする。
【００２２】
請求項５の発明は、請求項４に記載のキーロック機能付き携帯電話機において、前記操作キーの前記所定押下順番および所定押下回数の押下操作後、筐体開状態になったことおよび再度筐体閉状態になったことを検出して、筐体閉状態になった後に前記操作キーの押下操作無しに前記予め設定された一定時間経過した場合にキーロック状態に移行することを特徴とする。
【００２３】
請求項６の発明は、折り畳み型、フリップ型、およびスライド型のキーロック機能付き携帯電話機であって、筐体閉状態の収納状態時にも押下操作可能な少なくとも１つの操作キーと、前記操作キーの押下を検出する操作検出部と、前記操作キーが所定の押下順番で所定の押下回数だけ押下されたことを判定してキーロック処理を実行する制御部とを具備したことを特徴とする。
【００２４】
請求項７の発明は、請求項６に記載のキーロック機能付き携帯電話機において、ユーザが予め任意に設定する前記所定の押下順番および所定の押下回数を記憶する設定記憶部を更に具備させる。請求項８の発明は、請求項７に記載のキーロック機能付き携帯電話機において、前記操作キーの前記所定押下順番および所定押下回数の押下操作により計時を開始するとともに、前記操作キーの押下を検出した場合あるいは筐体開状態になった後に再度筐体閉状態になったことを検出した場合には再度計時を開始するタイマを更に具備させ、前記制御部が、前記タイマが予め設定された一定時間を計時した場合にキーロック処理を実行する。
【００２５】
【発明の実施の形態】
本発明では、筐体外側の操作ボタン等の収納時にも操作可能な一部の操作ボタンを利用して、キーロック操作を行う。また、これに加えてタイマ機能を活用して自動的にキーロックを行うようにする。
【００２６】
すなわち、例えば折り畳み型携帯電話機の折り畳んだ状態で操作可能なボタン等、収納状態で操作できる１つあるいは複数のボタンを所定の順番で所定回数押下することによりキーロック状態に移行するように構成する。これにより、折り畳んだ状態のままキーロックを行うことができる。キーロックのためのキーや押下回数、操作順番をユーザが事前に任意に設定可能にしても良い。また、この操作によるキーロックのみだけでなく、予め設定しておいた無操作一定時間後（数時間後）に自動的にキーロックがかかる機能を併せ持たすようにすれば携帯電話機をどこかに置き忘れた場合でも第三者の不正使用を妨ぐことができる。
【００２７】
〔実施例〕以下、本発明の実施例を図面を参照して詳細に説明する。図１は、本発明による携帯電話機の一実施例である折り畳み式携帯電話機を示している。図１（ａ）　は上側ユニット２００　を引き起こして展開した筐体開状態（通常通話姿勢）を示す外観図である。図１（ｂ）　は、下側ユニットに対して上側ユニットを折り畳んだ筐体閉状態（収納状態）を示す外観図である。また、図２は実施例携帯電話機の電気回路部４００　の概略ブロック図である。
【００２８】
図１（ｂ）　の収納状態では、全体が携行に便利なようにコンパクトになる。また、表示面は外部に露呈せず保護される。この収納状態においても、前述した副操作キー２０７ａ，２０７ｂ　は外部からの操作が可能である。
【００２９】
図１に示す実施例の携帯電話機５００　は、操作部を有する下側ユニット１００　と、表示部を有する上側ユニット２００　とからなり、前記下側ユニット１００　および前記上側ユニット２００　を可動接合部材（ヒンジ）３００　により開閉自在に結合して構成されている。
【００３０】
下側ユニット１００　および上側ユニット２００　は、所定厚みで略同じ大きさの偏平な長円形状をしている。下側ユニット１００　と上側ユニット２００　は、前記ヒンジ３００　を介して機構的に結合されていて、前記上側ユニット２００　が、ヒンジ部を中心にして下側ユニット１００　に対して開閉自在な構造となっている。なお、下側ユニット１００　と上側ユニット２００　とは、適宜の接続手段により電気的にも接続されている。
【００３１】
前記下側ユニット１００　の外ケース１０１　内部には図２で破線１００Ａで囲った各部分（後述）が収納あるいは取り付けられている。下側ユニット１００　の片面（操作面）１０１ａには、この携帯電話機５００　の持つ機能を利用するための複数の操作キー１０２　で構成される操作部１０２Ａが配設されている。操作部を構成する操作キー１０２　は、周知の送信キー、英字／カナ／漢字／数字の変換キー、電源のオン／オフキー、カーソル操作を行う十文字キー、終了キー等である。
【００３２】
更に、同じ操作面の先端部には、マイクロホン１０３　の開口部が配置されている。また、操作面の基端部近傍で下側ユニット縁部から所定距離（上側ユニットの厚み寸法の略半分の距離）離れて幅方向中央位置にはヒンジを構成している柱状部材が操作面に略垂直にその先端部を突出して設けられている。
【００３３】
一方、前記上側ユニット２００　の外ケース２０１　内部には、前記柱状部材に回転自在に取り付けた支持軸が設けられており上側ユニット２００　は下側ユニット１００　に対して回動自在で、両筐体（上側ユニット２００　は下側ユニット１００　）は、開状態あるいは閉状態とすることができる。また外ケース２０１　内部には、図２で破線２００Ａで囲った各部分（後述）が収納あるいは取り付けられている。上側ユニットの片面（表示面）２０１ａには略矩形をした表示器２０２　が縦長に配設されている。また、先端部分にはスピーカ２０３　が配設されている。また、表示面２０１ａと反対面（背面）中央部には小形の副表示器２０６　、そして先端部に２個の副操作キー２０７ａ，２０７ｂ　が設けられている。なお、表示器２０２　の表面にはタッチパネル機構２０５　が組み込まれている。
【００３４】
続いて、本実施例の携帯電話機の電気回路部等について説明する。図２の回路ブロック図に示すように、実施例の携帯電話機は、アンテナ１０４　、ＲＦ回路１０５　（明示しない受信回路と、送信回路と、周波数シンセサイザとを有している）、変復調回路１０６　、ベースバンド処理回路１０７　、コーディック回路１０８　、制御部１０９　、マイクロホン１０３　、操作キー１０２　、報知手段１１０　、そして両ユニットの開閉状態（上側ユニットの下側ユニットに対する姿勢）を検出するためのマイクロスイッチ１１１　、タイマ（計時回路）１１２　、設定記憶部（メモリ）１１３　を含み構成されている。これらの各機能部は、下側ユニット１００　内に実装されている。
【００３５】
上記制御部１０９　は、マイクロスイッチ１１１　の出力に基づき筐体開閉（上側ユニット２００　の開閉状態）を検出する開閉検出部１１４　、前記操作キー１０２　および副操作キー２０７　のキー押下を感知する操作検出部１１５　、この操作検出部１１５　の出力に応じてキーロックその他の処理を制御する操作制御部１１６　、表示内容を制御する表示制御部１１７　、タッチパネル制御部１１８　、上側ユニットの開閉操作に対応した着信制御動作も可能な着信・終話制御部１１９　、上側ユニットの開閉操作に対応した着信時報知動作も制御可能な報知制御部１２０　を有している。制御部１０９　は、ＣＰＵを含み構成されていて、このほか実行プログラムや各種の処理に必要なデータ、あるいは、文字フォントデータなどが記録されたＲＯＭ（図示せず）、作業領域として使用されるＲＡＭ、表示器２０２　に情報を表示するためのＶＲＡＭ（ビデオＲＡＭ）などを備えている。
【００３６】
更に、実施例の携帯電話機は、上側ユニットに実装されている機能部を有する。すなわち、上側ユニットは、前記スピーカ２０３　、主画面となる表示器（液晶ディスプレイ：ＬＣＤ）２０２　、表示器２０２　の表面に組み込まれたタッチパネル機構２０５　、副表示器２０６　および副操作キー２０７　を含み構成されている。なお、スピーカ２０３　は音声受話器として機能するとともに報知手段１１０　も兼ねている。
【００３７】
電気回路部を構成する上述した個々の部分については、従来のものと同様のもので良く、その構成・機能等についての詳細な説明は省略する。
【００３８】
実施例の携帯電話機の動作について説明する。この携帯電話機の通話機能やデータ送受信機能については、周知の技術と同様であるため、全体についての詳しい説明は省略あるいは簡略にし、主として本発明に関連深い動作について詳しく説明する。
【００３９】
まず、電話機としての機能を用いた音声信号の送受信を行う場合の携帯電話機の概略動作について説明する。アンテナ１０４　は、基地局からの信号を受信するとともに、この携帯電話端末からの信号を送信する。アンテナ１０４　により受信された基地局からの信号は、ＲＦ回路１０５　の受信回路に供給される。受信回路は、周波数シンセサイザにより指示される周波数の信号を選局し、選局した信号に自機に対する着呼を通知する信号が含まれているか否かを検出する（待ち受け受信）。
【００４０】
受信回路は、自機に対して着呼を通知する信号を検出したときには、着呼があることを制御部１０９　に通知する。制御部１０９　は、受信回路からの自機に対する着呼があることの通知を受けて、呼び出しベルやバイブレータ等の報知手段１１０　を駆動させて自機に着呼があることをユーザに通知する。
【００４１】
本実施例の携帯電話機では、ユーザが設定すれば、着信時に上側ユニットと下側ユニットを開くと（正規通話姿勢）これを前述したユニット姿勢検出手段が検出して着信・終話制御部が自動的にオフフック状態とし、電話回線が接続されて発呼先から送信されてきた音声信号は、ＲＦ回路１０５　を介して変復調回路１０６　に供給される。同時に着信・終話手段１１５　が報知動作を停止させる。
【００４２】
そして、変復調回路１０６　は、発呼先から送信されてきた音声信号を復調し、ベースバンド処理回路１０７　に供給する。ベースバンド処理回路１０７　は、音声信号から元のベースバンド信号を取り出し、これをコーデック回路１０８　に供給する。コーデック回路１０８　は、供給されたベースバンド信号をＤ／Ａ変換した後、これをスピーカ（受話器）２０３　に供給する。これによりスピーカ２０３　からは、発呼先から送信されてきた音声が放音される。コーデック回路１０８　は、携帯電話機から送信するマイクロホン１０３　で集音された音声信号のＡ／Ｄ変換処理をも行う。これによりユーザは直ちに通話を行うことができる。
【００４３】
上記設定がされていない場合や、着信時に既に上側ユニットと下側ユニットが展開されている場合には、ユーザによる通話開始キーでのオフフック操作が行われると電話回線が接続されて、発呼先から送信されてきた音声信号は、ＲＦ回路１０５　を介して、変復調回路１０６　に供給され通話が可能になる。
【００４４】
通話が終了してユーザが上側ユニットと下側ユニットを閉じる等、正規通話姿勢から別な姿勢に移行するとこれをユニット姿勢検出手段が　検出して通話・終話制御部が自動的にオンフック状態にする（終話処理）。もちろん、正規通話姿勢のままでユーザが所定終了操作キーによりオフフック操作を行うことでも同じ終話処理が行われる。
【００４５】
〔操作キー設定動作〕以下では、キーロックに係る動作について図を用いて説明する。実施例の携帯電話機はキーロックが可能で、キーロックを開始するために必要な操作キーの操作内容は、初期設定以外にもユーザが自由に設定できる。
【００４６】
操作キーの設定は、筐体開状態で行う。図３は、キーロック開始のための操作キーの設定手順の一例を示すフローチャートである。まず、ユーザは、キーロックを開始するためのキー押下回数とキー押下順番を決めなければならない。最初に操作キー１０２　により所定の設定開始のための操作を行う。これによりキー押下回数＆押下順番設定初期画面に遷移する（図３、ステップＳ１１）。
【００４７】
次にキー押下回数を数値入力する。−＞ｎ回　（ステップＳ１２）。続いて、キー押下回数分だけ、筐体外側の副操作キー２０７ａ，２０７ｂ　を任意の順番で押下する（ステップＳ１３）。更に、確認のため同じキー押下順番をもう一度入力する（ステップＳ１４）。
【００４８】
ステップＳ１３で入力したキー押下順番とステップＳ４で入力したキー押下順番とが一致しているかを判定する（ステップＳ１５）。異なる場合（ステップＳ１５；ＮＯ）には、キー押下回数＆押下順番設定初期画面（ステップＳ１１）に戻る。一方、一致していた場合（ステップＳ１５；ＹＥＳ）には、次のタイマ設定選択画面に進む（ステップＳ１６）。
【００４９】
ステップＳ１６のタイマ設定選択画面では、閉状態でのキーロック操作後に、すぐに（数秒後）キーロックをかけるか、あるいはタイマを設定して無操作一定時間（数時間）経過後にキーロックをかけるかを選択する。
【００５０】
ステップＳ１６において「すぐにロック」を選択した場合には設定完了となる（ステップＳ１８）。一方、「無操作一定時間経過後にロック」を選択した場合には、キーロック操作時無操作時間を入力する（ステップＳ１７）。ステップＳ１７において任意の時間長（例えば１時間）を数値入力すると設定完了となる。
【００５１】
以上の過程を経過して、キーロック開始操作の設定が終了する。なお、実施例では、折り畳んだ状態で操作可能なキーが２つあるが、折り畳んだ状態で操作可能なキーが１つのみの場合には、図３のステップＳ１１から図３のステップＳ１６に遷移するものとする。実施例では、実際に副操作キーを押下して押下回数等の設定を行っているが、適宜入力画面を表示して副操作キーに対応付けた入力欄に数値を入力する方法でキー押下回数＆押下順番を指定・設定するようにしても良い。
【００５２】
〔キーロック操作〕続いて、上記設定がなされている場合のキーロック操作手順を図４のフローチャートを用いて説明する。筐体閉状態移行時に、キー押下回数＆押下順番バッファ（キー操作記憶バッファ）をリセットする（図４、ステップＳ２１）。ユーザは、キーロックをする場合には、前述設定操作で設定したキー押下回数＆押下順番に従って副操作キー２０７ａおよび２０７ｂを押下操作する（ステップＳ２２）。一定時間（数秒間）以内に順次押下操作を行うことで、副操作キー２０７ａ，２０７ｂ　のキー押下回数＆押下順番が検出されキー操作記憶バッファに貯えられる（ステップＳ２２、ステップＳ２３）。なお、キーロック操作完了前に、筐体閉状態→開状態になった場合には、キー操作記憶バッファはリセットされるものとする（ステップＳ２４）。
【００５３】
副操作キー押下後、無操作状態のまま一定時間（数秒間）経過した時点で、設定時（図３）に入力したキー押下回数＆押下順番と、ステップＳ２２でのバッファに貯えられたキー押下回数＆順番が一致しているかを判定する（ステップＳ２５）。もし、キー押下回数＆順番が一致していなければ（ステップＳ２５：ＮＯ）、キーロックはかからずにステップＳ２１に戻りバッファはリセットされる。キー押下回数＆順番が一致していれば（ステップＳ２５：ＹＥＳ）、次のステップＳ２６に遷移する。
【００５４】
ステップＳ２６では、設定時（図３参照）に「すぐにロック」が設定されているか否かを判定する。「すぐにロック」が設定されている場合（ステップＳ２６：ＹＥＳ）すなわち図３ステップＳ１６で「すぐにロック」を選択していた場合には、直ちにキーロック処理を行い（ステップＳ３４）、キーロック完了となる。
【００５５】
一方、図３のステップＳ１６で「無操作一定時間経過後にロックを選択」していた場合（ステップＳ２６：ＮＯ）には、タイマ１１２　の設定（計時開始）を行い（ステップＳ２７）、ステップＳ２８に遷移する。
【００５６】
ステップＳ２８では筐体が開状態になったか（筐体閉状態→開状態）をチェックする。筐体が閉状態のままの場合には（ステップＳ２８：ＮＯ）ステップＳ３１に遷移するが、タイマ有効時に筐体閉状態→開状態になったことを検出した場合には（ステップＳ２８：ＹＥＳ）前記タイマ１１２　をリセットする（ステップＳ２９）。その後、再び閉状態になるのを待って（ステップＳ３０）、タイマ１１２　が再開する（ステップＳ２７）。
【００５７】
ステップＳ３１では副操作キーの押下をチェックする。（設定した時間内に）副操作キー押下操作があれば（ステップＳ３１：ＹＥＳ）、タイマ１１２　をリセットし（ステップＳ３２）、ステップＳ２７に戻ってタイマ１１２　を再設定する。副操作キーの押下がなければ（ステップＳ３１：ＮＯ）、設定した時間が経過したかを判定する（ステップＳ３３）。設定した時間が経過していなければ（ステップＳ３３：ＮＯ）ステップＳ２８に戻り、設定した時間が経過していれば（ステップＳ３３：ＹＥＳ）キーロック処理を行い（ステップＳ３４）キーロック完了となる。
【００５８】
なお、キーロック状態からの解除操作については、既知の方法で良く暗証番号の入力等により解除を行えるようにしても良く、また、適宜のキーを用いて上述したキーロック操作時と略同様に当該キーの押下回数および押下順番を証査してキーロックを解除するような構成としても良い。
【００５９】
上述したキーロック設定方法においては、副操作キーの押下回数を多くすればするほど、押下順番の組み合わせ数が多くなる。押下回数が極端に少ないと誤操作の問題があるが、設定する押下回数を多くすれば、誤操作によるキーロックの確率もかなり低く、同時に第三者に操作され難くなる。ボタンの個数がＡ個であったとすると、Σ（Ａ＾（ｎ））通り（ｎは押下回数）の設定が選択できる。押下回数をｎ回〜ｍ回とすれば、Σ（Ａ＾（ｍ））−Σ（Ａ＾（ｎ））通りになる。
【００６０】
以上説明した実施例におけるキーロック操作は、筐体が折り畳んだ状態のまま行うことができ、特に、キーロックのための押下回数をユーザが設定することができるようになっているため、ユーザが操作手順を覚え易く忘れる慮がない。逆に第三者によりキーロックをされてしまうことが防止できる。また、携帯電話機をポケットなどに入れたままでもキーロックが行える。
【００６１】
設定によっては、無操作一定時間経過後にキーロックがかかるため、どこかに携帯電話機を置き忘れた場合でも、第三者による不正使用の防止にもなる。このタイマを用いるキーロック操作の場合、キー押下があってもタイマが解除されず再計時を行うだけでなく、筐体閉状態→開状態時においてもタイマが解除されずに、再び筐体閉状態にすることにより、タイマが再開する。従って、確実にキーロックが行われる。
【００６２】
実施例として折り畳み型の携帯電話機について説明したが、これに限らず本発明は、収納時にも外側に操作可能な操作キーボタンがついているものであれば、フリップ型、スライド型等にも適用でき、同様に使い勝手良くキーロック操作が可能となる。
【００６３】
本発明は、実施例に限定されることなく種々の形態で実施可能である。実施例では２つの副操作キーによりキーロック操作を行っているが、筐体が折り畳んだ状態のまま押下操作を行うことができるキーは、少なくとも１つあれば良い。実施例では、所定キーロック操作後に、タイマを用いて一定時間後にキーロック処理を行うか直ちにキーロック処理を行うかが選択可能になっているがどちらかの機能のみとしても良い。
【００６４】
【発明の効果】
本発明によれば、筐体閉状態でも押下操作可能な操作キーを、所定押下順番で所定押下回数だけ押下操作することによりキーロック処理が実行されるので、折り畳み型、フリップ型、あるいはスライド型の携帯電話機のキーロック操作を筐体が閉じた収納状態であっても行うことができ、ポケットなどに入れたままでも容易にキーロックが行える。
【００６５】
キーロックのための操作キーの押下順番・押下回数をユーザが任意に設定可能にすれば、操作が覚え易く使い勝手がより向上する。押下回数を適度に多く設定することにより、誤操作によりキーロックされる確率を低くでき、また、第三者によるキーロック操作を防止できる。
【００６６】
無操作一定時間経過後にキーロックがかかるように設定でき、これによりどこかに携帯電話機を置き忘れた場合でも第三者の不正使用を防止できる。筐体閉状態→開状態時には、タイマが解除されずに、再び筐体開状態にすることによりタイマが再開する構成とすれば、確実にキーロックが実行される。
【図面の簡単な説明】
【図１】本発明の一実施例である折り畳み式携帯電話機を示し、（ａ）　は筐体開状態（通常通話姿勢）を示す外観図、（ｂ）　は筐体閉状態（収納状態）を示す外観図である。
【図２】実施例携帯電話機の電気回路部を示す概略ブロック図である。
【図３】実施例携帯電話機におけるキーロックのためのボタン押下回数＆順番設定方法を示すフローチャートである。
【図４】実施例携帯電話機におけるキーロック操作方法を示すフローチャートである。
【図５】従来の携帯電話機の一例を示す外観図（（Ａ），（Ｂ）　）である。
【図６】従来の携帯電話機の他の例を示す外観図（（ａ），（ｂ）　）である。
【符号の説明】
１００　…下側ユニット
１０１　…外ケース
１０１ａ…操作面
１０２　…操作部（操作キー）
１０３　…マイクロホン
１０４　…アンテナ
１０５　…ＲＦ回路
１０６　…変復調回路
１０７　…ベースバンド処理回路
１０８　…コーディック回路
１０９　…制御部
１１０　…報知手段
１１１　…マイクロスイッチ
１１２　…タイマ
１１３　…設定記憶部
１１４　…開閉検出部
１１５　…操作検出部
１１６　…操作制御部
１１７　…表示制御部
１１８　…タッチパネル制御部
１１９　…着信・終話制御部
１２０　…報知制御部
２００　…上側ユニット
２０１　…外ケース
２０１ａ…表示面
２０２　…表示器（主画面）
２０３　…スピーカ
２０５　…タッチパネル
２０６　…副表示器
２０７　…副操作キー
３００　…可動接合部材（ヒンジ）
５００　…携帯電話機
【図１】
2004128780.tif 000003
【図２】
2004128780.tif 000004
【図３】
2004128780.tif 000005
【図４】
2004128780.tif 000006
【図５】
2004128780.tif 000007
【図６】
2004128780.tif 000008